(57)【要約】      （修正有）【課題】容易かつ正確にスケジュール管理をすることができるダイアリーシステム、携帯端末装置、制御方法、及び、制御プログラムを提供する。【解決手段】年月日が表示されたカレンダー用紙２１と、年月日を記入可能なメモ用紙２２と、カレンダー用紙２１及びメモ用紙２２に関する情報を処理する携帯端末装置と、を備え、カレンダー情報を表示部６に表示し、表示したカレンダー情報に重ねて、カレンダー情報の年月に関連付くカレンダー用紙２１の画像情報を表示部６に表示し、カレンダー情報の日の表示位置と、カレンダー用紙２１の画像情報の日の表示位置とが対応するように表示部６に表示し、タッチパネル７のタッチに基づいて、タッチ位置に表示されたカレンダー情報の年月日に関連付くメモ用紙２２の画像情報を表示部６に表示する、ダイアリーシステムである。【選択図】図５
2013138402.tif 000002
【特許請求の範囲】
【請求項１】
年月日が表示されたカレンダー用紙と、
年月日を記入可能なメモ用紙と、
前記カレンダー用紙及び前記メモ用紙に関する情報を処理する携帯端末装置と、を備え、
前記携帯端末装置は、
前記カレンダー用紙及び前記メモ用紙を撮像可能な撮像部と、
前記撮像部により撮像された前記カレンダー用紙の画像情報及び前記メモ用紙の画像情報を表示可能な表示部と、
前記表示部上に配置されたタッチパネルと、
前記カレンダー用紙の画像情報、前記メモ用紙の画像情報、及び、年月日の情報を含むカレンダー情報と、を記憶する記憶部と、
制御部と、を備え、
前記制御部は、
前記撮像部により撮像された前記カレンダー用紙に表示された年月を識別し、
前記撮像部により撮像された前記メモ用紙に記入された年月日を識別し、
識別した前記カレンダー用紙の年月と前記カレンダー情報とを関連付け、
識別した前記メモ用紙の年月日と前記カレンダー情報とを関連付け、
前記カレンダー情報を前記表示部に表示し、
表示した前記カレンダー情報に重ねて、当該カレンダー情報の年月に関連付く前記カレンダー用紙の画像情報を前記表示部に表示し、
前記カレンダー情報の日の表示位置と、前記カレンダー用紙の画像情報の日の表示位置とが対応するように前記表示部に表示し、
前記タッチパネルのタッチに基づいて、タッチ位置に表示された前記カレンダー情報の年月日に関連付く前記メモ用紙の画像情報を前記表示部に表示する、ダイアリーシステム。
【請求項２】
前記制御部は、前記カレンダー用紙の最新の画像情報を前記表示部に表示する、請求項１に記載のダイアリーシステム。
【請求項３】
前記制御部は、前記メモ用紙の画像情報の存在を示すメモ存在情報を前記表示部に表示する、請求項１又は２に記載のダイアリーシステム。
【請求項４】
前記カレンダー用紙及び前記メモ用紙には、それぞれ、少なくとも１つの補正記号が表示されており、
前記制御部は、前記補正記号に基づいて前記カレンダー用紙の画像情報及び前記メモ用紙の画像情報を補正する、請求項１から３のいずれかに記載のダイアリーシステム。
【請求項５】
前記カレンダー用紙は、第１の用紙部分および第２の用紙部分を備えており、
前記制御部は、前記撮像部によりそれぞれ撮像された前記第１の用紙部分の画像情報および前記第２の用紙部分の画像情報から前記カレンダー用紙の画像情報を生成する、請求項１から４のいずれかに記載のダイアリーシステム。
【請求項６】
年月日が表示されたカレンダー用紙及び年月日を記入可能なメモ用紙に関する情報を処理する携帯端末装置であって、
前記カレンダー用紙及び前記メモ用紙を撮像可能な撮像部と、
前記撮像部により撮像された前記カレンダー用紙の画像情報及び前記メモ用紙の画像情報を表示可能な表示部と、
前記表示部上に配置されたタッチパネルと、
前記カレンダー用紙の画像情報、前記メモ用紙の画像情報、及び、年月日の情報を含むカレンダー情報と、を記憶する記憶部と、
制御部と、を備え、
前記制御部は、
前記撮像部により撮像された前記カレンダー用紙に表示された年月を識別し、
前記撮像部により撮像された前記メモ用紙に記入された年月日を識別し、
識別した前記カレンダー用紙の年月と前記カレンダー情報とを関連付け、
識別した前記メモ用紙の年月日と前記カレンダー情報とを関連付け、
前記カレンダー情報を前記表示部に表示し、
表示した前記カレンダー情報に重ねて、当該カレンダー情報の年月に関連付く前記カレンダー用紙の画像情報を前記表示部に表示し、
前記カレンダー情報の日の表示位置と、前記カレンダー用紙の画像情報の日の表示位置とが対応するように前記表示部に表示し、
前記タッチパネルのタッチに基づいて、タッチ位置に表示された前記カレンダー情報の年月日に関連付く前記メモ用紙の画像情報を前記表示部に表示する、携帯端末装置。
【請求項７】
年月日が表示されたカレンダー用紙と、年月日を記入可能なメモ用紙と、前記カレンダー用紙及び前記メモ用紙に関する情報を処理する携帯端末装置と、を備えるダイアリーシステムを制御する制御方法であって、
前記携帯端末装置は、
前記カレンダー用紙及び前記メモ用紙を撮像可能な撮像部と、
前記撮像部により撮像された前記カレンダー用紙の画像情報及び前記メモ用紙の画像情報を表示可能な表示部と、
前記表示部上に配置されたタッチパネルと、
前記カレンダー用紙の画像情報、前記メモ用紙の画像情報、及び、年月日の情報を含むカレンダー情報と、を記憶する記憶部と、
制御部と、を備え、
前記制御部が、
前記撮像部により撮像された前記カレンダー用紙に表示された年月を識別するステップと、
前記撮像部により撮像された前記メモ用紙に記入された年月日を識別するステップと、
識別した前記カレンダー用紙の年月と前記カレンダー情報とを関連付けるステップと、
識別した前記メモ用紙の年月日と前記カレンダー情報とを関連付けるステップと、
前記カレンダー情報を前記表示部に表示するステップと、
表示した前記カレンダー情報に重ねて、当該カレンダー情報の年月に関連付く前記カレンダー用紙の画像情報を前記表示部に表示するステップと、
前記カレンダー情報の日の表示位置と、前記カレンダー用紙の画像情報の日の表示位置とが対応するように前記表示部に表示するステップと、
前記タッチパネルのタッチに基づいて、タッチ位置に表示された前記カレンダー情報の年月日に関連付く前記メモ用紙の画像情報を前記表示部に表示するステップと、を実行する制御方法。
【請求項８】
年月日が表示されたカレンダー用紙と、年月日を記入可能なメモ用紙と、前記カレンダー用紙及び前記メモ用紙に関する情報を処理する携帯端末装置と、を備えるダイアリーシステムを制御する制御プログラムであって、
前記携帯端末装置は、
前記カレンダー用紙及び前記メモ用紙を撮像可能な撮像部と、
前記撮像部により撮像された前記カレンダー用紙の画像情報及び前記メモ用紙の画像情報を表示可能な表示部と、
前記表示部上に配置されたタッチパネルと、
前記カレンダー用紙の画像情報、前記メモ用紙の画像情報、及び、年月日の情報を含むカレンダー情報と、を記憶する記憶部と、
制御部と、を備え、
前記制御部に、
前記撮像部により撮像された前記カレンダー用紙に表示された年月を識別するステップと、
前記撮像部により撮像された前記メモ用紙に記入された年月日を識別するステップと、
識別した前記カレンダー用紙の年月と前記カレンダー情報とを関連付けるステップと、
識別した前記メモ用紙の年月日と前記カレンダー情報とを関連付けるステップと、
前記カレンダー情報を前記表示部に表示するステップと、
表示した前記カレンダー情報に重ねて、当該カレンダー情報の年月に関連付く前記カレンダー用紙の画像情報を前記表示部に表示するステップと、
前記カレンダー情報の日の表示位置と、前記カレンダー用紙の画像情報の日の表示位置とが対応するように前記表示部に表示するステップと、
前記タッチパネルのタッチに基づいて、タッチ位置に表示された前記カレンダー情報の年月日に関連付く前記メモ用紙の画像情報を前記表示部に表示するステップと、を実行させる制御プログラム。
【請求項９】
一週間の年月日及び週特定情報が表示された週間用紙を更に備え、
前記制御部は、
前記撮像部により撮像された前記週間用紙に表示された年月及び週特定情報を識別し、
識別した前記週間用紙の年月及び週特定情報から当該週間用紙が表示する年月及び週を特定し、
特定した前記週間用紙の年月及び週と前記カレンダー情報とを関連付け、
前記タッチパネルのタッチに基づいて、タッチ位置に対応する前記カレンダー情報の年月及び週に関連付く前記週間用紙の画像情報を前記表示部に表示する、請求項１から５のいずれかに記載のダイアリーシステム。
【請求項１０】
年月日及び週の情報を含む週間カレンダー情報を前記記憶部に記憶し、
前記制御部は、
特定した前記週間用紙の年月及び週と前記週間カレンダー情報とを関連付け、
識別した前記メモ用紙の年月日と前記週間カレンダー情報とを関連付け、
前記週間カレンダー情報を前記表示部に表示し、
表示した前記週間カレンダー情報に重ねて、当該週間カレンダー情報の年月及び週に関連付く前記週間用紙の画像情報を前記表示部に表示し、
前記週間カレンダー情報の日の表示位置と、前記週間用紙の画像情報の日の表示位置とが対応するように前記表示部に表示し、
前記タッチパネルのタッチに基づいて、タッチ位置に対応する前記週間カレンダー情報の年月日に関連付く前記メモ用紙の画像情報を前記表示部に表示する、請求項９に記載のダイアリーシステム。
【発明の詳細な説明】
【技術分野】
【０００１】
本発明は、スケジュールを管理するダイアリーシステムに関する。また、このダイアリーシステムのための携帯端末装置、制御方法、及び、制御プログラムに関する。
【背景技術】
【０００２】
一般的に、例えば会議の予定などのスケジュールを管理するときは、紙ベースのダイアリー（スケジュール帳）に表示されたカレンダー部分にスケジュールを記入することにより管理している。また、このようなダイアリーでは、カレンダー部分に記入したスケジュールに関連して、カレンダー部分とは別ページのメモ部分にメモを記入することがある。
【０００３】
また、近年、情報処理技術の発達により、例えば、携帯電話やスマートフォンなどの携帯端末装置によりスケジュールを管理する技術もある（例えば、特許文献１参照）。この特許文献１に記載の技術は、カレンダー提供サーバにおいて更新されたスケジュール情報とユーザー端末において変更されたスケジュール情報とを表示することができるスケジュール管理システムである。
【先行技術文献】
【特許文献】
【０００４】
【特許文献１】特開２００９−１６３４７７号公報
【発明の概要】
【発明が解決しようとする課題】
【０００５】
しかしながら、上記の紙ベースのダイアリー（スケジュール帳）では、カレンダー部分に記入したスケジュールとメモ部分に記入したメモとを確認するときに、その都度ページを移動しなければならず、煩わしさが生じていた。また、特許文献１に記載の技術では、コンピューター（サーバ）を用いてスケジュールを管理することによる利便性はあるものの、ユーザーによっては、簡単なスケジュールやメモであればダイアリーに直接記入して管理したいという要求があった。
【０００６】
本発明は、上記問題を解決するためになされたものであって、容易かつ正確にスケジュール管理をすることができるダイアリーシステム、携帯端末装置、制御方法、制御プログラム、及び、ダイアリーの提供を目的とする。
【課題を解決するための手段】
【０００７】
本発明は、上記課題を解決するためのダイアリーシステムであって、年月日が表示されたカレンダー用紙と、年月日を記入可能なメモ用紙と、前記カレンダー用紙及び前記メモ用紙に関する情報を処理する携帯端末装置と、を備え、前記携帯端末装置は、前記カレンダー用紙及び前記メモ用紙を撮像可能な撮像部と、前記撮像部により撮像された前記カレンダー用紙の画像情報及び前記メモ用紙の画像情報を表示可能な表示部と、前記表示部上に配置されたタッチパネルと、前記カレンダー用紙の画像情報、前記メモ用紙の画像情報、及び、年月日の情報を含むカレンダー情報と、を記憶する記憶部と、制御部と、を備え、前記制御部は、前記撮像部により撮像された前記カレンダー用紙に表示された年月を識別し、前記撮像部により撮像された前記メモ用紙に記入された年月日を識別し、識別した前記カレンダー用紙の年月と前記カレンダー情報とを関連付け、識別した前記メモ用紙の年月日と前記カレンダー情報とを関連付け、前記カレンダー情報を前記表示部に表示し、表示した前記カレンダー情報に重ねて、当該カレンダー情報の年月に関連付く前記カレンダー用紙の画像情報を前記表示部に表示し、前記カレンダー情報の日の表示位置と、前記カレンダー用紙の画像情報の日の表示位置とが対応するように前記表示部に表示し、前記タッチパネルのタッチに基づいて、タッチ位置に表示された前記カレンダー情報の年月日に関連付く前記メモ用紙の画像情報を前記表示部に表示する、ダイアリーシステムである。
【０００８】
このような構成によれば、カレンダー用紙の画像情報を表示部に表示するので、ユーザーがカレンダー用紙に記入したスケジュールを表示部により確認することができる。また、メモ用紙の画像情報を表示部に表示するので、ユーザーがメモ用紙に記入したメモを表示部により確認することができる。また、カレンダー情報を介して日付を関連付けることにより、タッチパネルのタッチに基づいて、カレンダー用紙の日付に対応するメモ用紙を表示部に表示することができる。したがって、ユーザーが記入したスケジュール及びメモを、日付を関連付けて表示することができるので、スケジュール管理を容易かつ正確に行うことができる。
【０００９】
また、上記ダイアリーシステムにおいて、前記制御部は、前記カレンダー用紙の最新の画像情報を前記表示部に表示することが好ましい。
【００１０】
また、前記制御部は、前記メモ用紙の画像情報の存在を示すメモ存在情報を前記表示部に表示することが好ましい。
【００１１】
また、前記カレンダー用紙及び前記メモ用紙には、それぞれ、少なくとも１つの補正記号が表示されており、前記制御部は、前記補正記号に基づいて前記カレンダー用紙の画像情報及び前記メモ用紙の画像情報を補正することが好ましい。
【００１２】
また、前記カレンダー用紙は、第１の用紙部分および第２の用紙部分を備えており、前記制御部は、前記撮像部によりそれぞれ撮像された前記第１の用紙部分の画像情報および前記第２の用紙部分の画像情報から前記カレンダー用紙の画像情報を生成することが好ましい。
【００１３】
また、一週間の年月日及び週特定情報が表示された週間用紙を更に備え、前記制御部は、前記撮像部により撮像された前記週間用紙に表示された年月及び週特定情報を識別し、識別した前記週間用紙の年月及び週特定情報から当該週間用紙が表示する年月及び週を特定し、特定した前記週間用紙の年月及び週と前記カレンダー情報とを関連付け、前記タッチパネルのタッチに基づいて、タッチ位置に対応する前記カレンダー情報の年月及び週に関連付く前記週間用紙の画像情報を前記表示部に表示することが好ましい。
【００１４】
また、年月日及び週の情報を含む週間カレンダー情報を前記記憶部に記憶し、前記制御部は、特定した前記週間用紙の年月及び週と前記週間カレンダー情報とを関連付け、識別した前記メモ用紙の年月日と前記週間カレンダー情報とを関連付け、前記週間カレンダー情報を前記表示部に表示し、表示した前記週間カレンダー情報に重ねて、当該週間カレンダー情報の年月及び週に関連付く前記週間用紙の画像情報を前記表示部に表示し、前記週間カレンダー情報の日の表示位置と、前記週間用紙の画像情報の日の表示位置とが対応するように前記表示部に表示し、前記タッチパネルのタッチに基づいて、タッチ位置に対応する前記週間カレンダー情報の年月日に関連付く前記メモ用紙の画像情報を前記表示部に表示することがより好ましい。
【００１５】
あるいは、本発明は、上記課題を解決するためになされたものであり、年月日が表示されたカレンダー用紙及び年月日を記入可能なメモ用紙に関する情報を処理する携帯端末装置であって、前記カレンダー用紙及び前記メモ用紙を撮像可能な撮像部と、前記撮像部により撮像された前記カレンダー用紙の画像情報及び前記メモ用紙の画像情報を表示可能な表示部と、前記表示部上に配置されたタッチパネルと、前記カレンダー用紙の画像情報、前記メモ用紙の画像情報、及び、年月日の情報を含むカレンダー情報と、を記憶する記憶部と、制御部と、を備え、前記制御部は、前記撮像部により撮像された前記カレンダー用紙に表示された年月を識別し、前記撮像部により撮像された前記メモ用紙に記入された年月日を識別し、識別した前記カレンダー用紙の年月と前記カレンダー情報とを関連付け、識別した前記メモ用紙の年月日と前記カレンダー情報とを関連付け、前記カレンダー情報を前記表示部に表示し、表示した前記カレンダー情報に重ねて、当該カレンダー情報の年月に関連付く前記カレンダー用紙の画像情報を前記表示部に表示し、前記カレンダー情報の日の表示位置と、前記カレンダー用紙の画像情報の日の表示位置とが対応するように前記表示部に表示し、前記タッチパネルのタッチに基づいて、タッチ位置に表示された前記カレンダー情報の年月日に関連付く前記メモ用紙の画像情報を前記表示部に表示する、携帯端末装置であってもよい。
【００１６】
あるいは、本発明は、上記課題を解決するためになされたものであり、年月日が表示されたカレンダー用紙と、年月日を記入可能なメモ用紙と、前記カレンダー用紙及び前記メモ用紙に関する情報を処理する携帯端末装置と、を備えるダイアリーシステムを制御する制御方法であって、前記携帯端末装置は、前記カレンダー用紙及び前記メモ用紙を撮像可能な撮像部と、前記撮像部により撮像された前記カレンダー用紙の画像情報及び前記メモ用紙の画像情報を表示可能な表示部と、前記表示部上に配置されたタッチパネルと、前記カレンダー用紙の画像情報、前記メモ用紙の画像情報、及び、年月日の情報を含むカレンダー情報と、を記憶する記憶部と、制御部と、を備え、前記制御部が、前記撮像部により撮像された前記カレンダー用紙に表示された年月を識別するステップと、前記撮像部により撮像された前記メモ用紙に記入された年月日を識別するステップと、識別した前記カレンダー用紙の年月と前記カレンダー情報とを関連付けるステップと、識別した前記メモ用紙の年月日と前記カレンダー情報とを関連付けるステップと、前記カレンダー情報を前記表示部に表示するステップと、表示した前記カレンダー情報に重ねて、当該カレンダー情報の年月に関連付く前記カレンダー用紙の画像情報を前記表示部に表示するステップと、前記カレンダー情報の日の表示位置と、前記カレンダー用紙の画像情報の日の表示位置とが対応するように前記表示部に表示するステップと、前記タッチパネルのタッチに基づいて、タッチ位置に表示された前記カレンダー情報の年月日に関連付く前記メモ用紙の画像情報を前記表示部に表示するステップと、を実行する制御方法であってもよい。
【００１７】
あるいは、本発明は、上記課題を解決するためになされたものであり、年月日が表示されたカレンダー用紙と、年月日を記入可能なメモ用紙と、前記カレンダー用紙及び前記メモ用紙に関する情報を処理する携帯端末装置と、を備えるダイアリーシステムを制御する制御プログラムであって、前記携帯端末装置は、前記カレンダー用紙及び前記メモ用紙を撮像可能な撮像部と、前記撮像部により撮像された前記カレンダー用紙の画像情報及び前記メモ用紙の画像情報を表示可能な表示部と、前記表示部上に配置されたタッチパネルと、前記カレンダー用紙の画像情報、前記メモ用紙の画像情報、及び、年月日の情報を含むカレンダー情報と、を記憶する記憶部と、制御部と、を備え、前記制御部に、前記撮像部により撮像された前記カレンダー用紙に表示された年月を識別するステップと、前記撮像部により撮像された前記メモ用紙に記入された年月日を識別するステップと、識別した前記カレンダー用紙の年月と前記カレンダー情報とを関連付けるステップと、識別した前記メモ用紙の年月日と前記カレンダー情報とを関連付けるステップと、前記カレンダー情報を前記表示部に表示するステップと、表示した前記カレンダー情報に重ねて、当該カレンダー情報の年月に関連付く前記カレンダー用紙の画像情報を前記表示部に表示するステップと、前記カレンダー情報の日の表示位置と、前記カレンダー用紙の画像情報の日の表示位置とが対応するように前記表示部に表示するステップと、前記タッチパネルのタッチに基づいて、タッチ位置に表示された前記カレンダー情報の年月日に関連付く前記メモ用紙の画像情報を前記表示部に表示するステップと、を実行させる制御プログラムであってもよい。
【発明の効果】
【００１８】
本発明のダイアリーシステム、携帯端末装置、制御方法、及び、制御プログラムによれば、容易かつ正確にスケジュール管理をすることができる。
【図面の簡単な説明】
【００１９】
【図１】本発明の一実施形態に係るダイアリーシステムの概略構成図であり、（ａ）はダイアリーの平面図であり、（ｂ）は携帯端末装置の正面図であり、（ｃ）は携帯端末装置の裏面図である。
【図２】ダイアリーの内部のカレンダー用紙を示す図である。
【図３】ダイアリーの内部のメモ用紙を示す図である。
【図４】携帯端末装置のブロック図である。
【図５】ダイアリーシステムの制御方法のフローチャートである。
【図６】カレンダー用紙の画像情報に係る補正処理のフローチャートである。
【図７】メモ用紙の画像情報に係る補正処理のフローチャートである。
【図８】記憶部に記憶される記憶テーブルの一例を示す図である。
【図９】記憶部に記憶される記憶テーブルの他の一例を示す図である。
【図１０】表示部におけるカレンダー情報の表示の一例を示す図である。
【図１１】表示部におけるカレンダー用紙の画像情報の表示の一例を示す図である。
【図１２】カレンダー情報とカレンダー用紙の画像情報との関係を示すイメージ図である。
【図１３】表示部におけるメモ用紙の画像情報の表示の一例を示す図である。
【図１４】ダイアリーの内部の週間用紙を示す図である。
【図１５】他の実施形態に係るダイアリーシステムの制御方法のフローチャートである。
【図１６】他の実施形態に係るダイアリーシステムの制御方法のフローチャートである。
【図１７】週間用紙の画像情報に係る補正処理のフローチャートである。
【図１８】記憶部に記憶される記憶テーブルの他の一例を示す図である。
【図１９】記憶部に記憶される記憶テーブルの他の一例を示す図である。
【図２０】記憶部に記憶される記憶テーブルの他の一例を示す図である。
【図２１】表示部におけるカレンダー情報の表示の他の一例を示す図である。
【図２２】表示部におけるカレンダー用紙の画像情報の表示の他の一例を示す図である。
【図２３】表示部における週間カレンダー情報の表示の一例を示す図である。
【図２４】表示部における週間用紙の画像情報の表示の一例を示す図である。
【図２５】週間カレンダー情報と週間用紙の画像情報との関係を示すイメージ図である。
【図２６】表示部におけるカレンダー用紙の画像情報の表示の他の一例を示す図である。
【発明を実施するための形態】
【００２０】
以下、本発明の実施形態について添付図面を参照して説明する。図１は、本発明の一実施形態に係るダイアリーシステムの概略構成図であり、（ａ）はダイアリーの平面図であり、（ｂ）は携帯端末装置の正面図であり、（ｃ）は携帯端末装置の裏面図である。図１に示すように、このダイアリーシステム１は、ダイアリー（手帳）２および携帯端末装置３を備えている。
【００２１】
まず、ダイアリー２について説明する。図２及び図３は、ダイアリーの内部を示す図である。図２及び図３に示すように、ダイアリー２は、ダイアリー本体２０と、ダイアリー本体２０の内部に配置された複数のカレンダー用紙２１および複数のメモ用紙２２とを備えている。ダイアリー本体２０は、カレンダー用紙２１及びメモ用紙２２を覆う部材であり、ダイアリー２の表紙として構成されている。
【００２２】
各カレンダー用紙２１には、図２に示すように、暦（年、月、日、曜日等）が印刷表示されている。図２では、一例として、２０１２年１２月の暦が表示されたカレンダー用紙２１を示しているが、この他に、２０１２年１２月以外の各年月の暦が表示されたカレンダー用紙２１が存在する。このカレンダー用紙２１は、年月が表示された年月表示部２３と、日が表示された日表示部２４とを備えている。年月表示部２３における年月の表示方法は、年月を識別可能であれば特に限定されるものではなく、また、年月表示部２３の位置も特に限定されるものではない。この年月表示部２３における年月の表示は、光学文字認識（ＯＣＲ：Optical Character Recognition）により認識することができる。また、日表示部２４における日の表示方法は、公知の一般的なカレンダーと同様の構成にすることができ、例えば、カレンダー用紙２１上に縦横に引かれた罫線によって区画された各升目内に日を表示することができる。カレンダー用紙２１における日の表示位置（座標）は、後述の携帯端末装置３におけるカレンダー情報の日の表示位置（座標）と対応するように予め設定されている。例えば、カレンダー用紙２１の縦横の比率とカレンダー情報を表示したときの縦横の比率とを揃えることにより、両者の日の表示位置を対応させることができる。また、カレンダー用紙２１には、文字や絵等を自由に記入可能であり、スケジュールを記入することができる。また、スケジュール以外にも自由な内容を記入することができる。また、本実施形態ではカレンダー用紙２１は、２つの部分に区分されており、図２のダイアリー２を見開いた状態で左側の第１の用紙部分２５と、右側の第２の用紙部分２６とを備え、第１の用紙部分２５及び第２の用紙部分２６に１ヶ月（２０１２年１２月）の暦が表示されている。また、カレンダー用紙２１には、複数のカレンダー用補正記号２７、２７・・・が表示されており、これらのカレンダー用補正記号２７、２７・・・は、カレンダー用紙２１の上下、左右、四隅を判別して画像を補正するためのものであり、第１の用紙部分２５及び第２の用紙部分２６のそれぞれの四隅に表示されている。また、複数のカレンダー用補正記号２７は、上下補正記号２７ａ、左補正記号２７ｂ及び右補正記号２７ｃに区別されている。この上下補正記号２７ａ、左補正記号２７ｂ及び右補正記号２７ｃのデザインは、各記号の区別ができるものであれば特に限定されるものではない。上下補正記号２７ａは、カレンダー用紙２１の上下を判別するための記号であり、第１の用紙部分２５及び第２の用紙部分２６のそれぞれの下端部に２つずつ表示され、上端部に１つずつ表示されており、表示された上下補正記号２７ａの数によりカレンダー用紙２１の上下を判別することができる。また、左補正記号２７ｂ及び右補正記号２７ｃは、カレンダー用紙２１における第１の用紙部分２５及び第２の用紙部分２６の左右を判別するための記号であり、第１の用紙部分２５に左補正記号２７ｂが表示され、第２の用紙部分２６に右補正記号２７ｃが表示されている。
【００２３】
各メモ用紙２２は、図３に示すように、筆記具により年月日を記入可能な年月日記入部２８を備えている。この年月日記入部２８の位置は特に限定されるものではない。また、メモ用紙２２には、文字や絵等を自由に記入可能であり、メモを記入することができる。また、メモ用紙２２には、複数のメモ用補正記号２９、２９・・・が表示されている。これらのメモ用補正記号２９、２９・・・は、メモ用紙２２の四隅を判別して画像を補正するためのものであり、メモ用紙２２の四隅に表示されている。
【００２４】
次に、携帯端末装置３について説明する。図４は、携帯端末装置のブロック図である。図１及び図４に示すように、携帯端末装置３は、装置本体４、撮像部５、表示部６、タッチパネル７、記憶部８および制御部９を備えている。またその他に、携帯端末装置３は、無線通信のためのアンテナ、音声通話のためのマイクやスピーカーなどを備えている（いずれも図示せず）。このような携帯端末装置１としては、特に限定されるものではなく、例えば、スマートフォン、携帯電話機、ＰＤＡなどが挙げられる。
【００２５】
装置本体４としては、公知のスマートフォンの本体を用いることができ、電源スイッチや各種のボタンを備えている。また、撮像部５は、レンズを通して入射する被写体像を撮像する公知の構成であり、カレンダー用紙２１及びメモ用紙２２を撮像することができる。このような撮像部５としては、例えば、アナログ電気信号を出力するＣＣＤ（Charge Coupled Device）やＣＭＯＳ（Complementary Metal Oxide Semiconductor）等の撮像素子を含み、レンズを通して入射する被写体像を光電変換し、撮像素子からのアナログ電気信号をデジタル電気信号に変換して画像データを出力するものを用いることができる。
【００２６】
表示部６としては、液晶ディスプレイや有機ＥＬディスプレイ等の公知の表示デバイスを用いることができ、その表示画面上に画像情報等を表示することができる。また、タッチパネル７は、ユーザーが表面をタッチしたときにそのタッチ位置を認識可能な公知のタッチパネルであり、表示部６の上に重ねて配置されている。このタッチパネル７としては、抵抗膜方式、表面弾性波方式、電磁誘導方式、静電容量方式等、公知の方式のものを用いることができる。また、このタッチパネル７をユーザーがタッチすることにより、各種の入力をすることができる。例えば、タッチパネル７のタッチにより、撮像部５による撮像、表示部６における表示の指示を入力することができる。
【００２７】
記憶部８は、情報処理のためのプログラム及びデータを記憶する公知のハードディスク又は半導体メモリなどの記憶媒体により構成されている。この記憶部８は、撮像部５により撮像されたカレンダー用紙２１の画像情報およびメモ用紙２２の画像情報を記憶することができる。画像情報は、例えば、ｊｐｅｇ及びｇｉｆなどのファイル形式により記憶される。また、記憶部８は、暦（年、月、日、曜日、週等）の情報を含むカレンダー情報を記憶することができる。このカレンダー情報は、暦（年、月、日、曜日、週等）が表示部６に表示されるときに、予め設定された表示位置（座標）に表示するように制御するための情報を表示位置情報（座標情報）として含んでいる。また、記憶部８は、カレンダー用紙２１の年月表示部２３に表示されている年月の情報と、カレンダー情報に含まれる年月の情報とを関連付けるための記憶テーブルを記憶することができる。また、この記憶部８は同様に、メモ用紙２２の年月日記入部２８に記入される年月日の情報と、カレンダー情報に含まれる年月日の情報とを関連付けるための記憶テーブルを記憶することができる。また、記憶部８には、ダイアリーシステム１を制御するための制御プログラムが記憶されている。また、記憶部８はその他にも各種の情報を適宜記憶することができる。
【００２８】
制御部９は、プログラム及びデータに基づいて情報処理をする公知のＣＰＵなどのプロセッサにより構成されている。この制御部９は、記憶部８に記憶されたダイアリーシステムの制御プログラムを実行することにより、上記の各構成要素を制御することができる。ダイアリーシステムの制御の詳細については、以下に説明する。
【００２９】
次に、上記のような構成を備えるダイアリーシステムを制御する制御方法について説明する。この制御方法は制御プログラムにより実行される。図５は、ダイアリーシステムの制御方法のフローチャートである。このダイアリーシステム１ではまず、カレンダー用紙２１及びメモ用紙２２にユーザーが記入をする（ステップＳ１）。より詳細には、ユーザーがカレンダー用紙２１に筆記具でスケジュールを手書き記入する。例えば、図２に示す例では、カレンダー用紙２１の日表示部２４（２０１２年１２月９日及び２０日の部分）に「会議」の予定を記入している。また、ユーザーはメモ用紙２２に筆記具でメモを手書き記入する。例えば、図３に示す例では、会議の詳細な内容をメモ用紙２２に記入している。また、ユーザーは、メモ用紙２２の年月日記入部２８に筆記具で年月日を手書き記入する。図３に示す例では、年月日記入部２８に「２０１２年１２月２０日」の日付を記入している。これにより、カレンダー用紙２１の２０１２年１２月２０日の部分に記入した「会議」に関する内容が、同じ日付（２０１２年１２月２０日）を記入したメモ用紙２２に記入されたことになり、カレンダー用紙２１に記入したスケジュールとメモ用紙２２に記入したメモとが対応することになる。
【００３０】
また、ユーザーは、カレンダー用紙２１にスケジュールを記入し、メモ用紙２２にメモ及び日付（年月日）を記入した後、このカレンダー用紙２１及びメモ用紙２２を携帯端末装置３の撮像部５によりそれぞれ撮像する（ステップＳ２）。このとき、カレンダー用紙２１を撮像する場合は、第１の用紙部分２５及び第２の用紙部分２６をそれぞれ撮像する。また、撮像は、第１の用紙部分２５及び第２の用紙部分２６の四隅に表示されたカレンダー用補正記号２７が撮像範囲に入るように行う。また、メモ用紙２２を撮像するときは、メモ用紙２２の四隅に表示されたメモ用補正記号２９が撮像範囲に入るように行う。
【００３１】
ユーザーが撮像部５によりカレンダー用紙２１及びメモ用紙２２の撮像をすると、制御部９は、撮像したカレンダー用紙２１及びメモ用紙２２の画像情報を補正する（ステップＳ３）。ここで、画像情報の補正処理について説明する。図６は、カレンダー用紙の画像情報に係る補正処理のフローチャートである。
【００３２】
図６に示すように、カレンダー用紙２１の画像情報を補正するときはまず、撮像したカレンダー用紙２１の画像情報を縮小し、この画像情報をグレースケール化し、これを更に二値化し、二値化した画像情報からカレンダー用補正記号２７を検出する（ステップＳ３０１、Ｓ３０２）。続いて、検出したカレンダー用補正記号２７に基づいて画像情報の上下（天地）を判別し、上下（天地）が逆転しているときは画像情報を１８０°回転させて上下を整える（ステップＳ３０３、Ｓ３０４）。より詳細には、撮像されたカレンダー用紙２１の第１の用紙部分２５及び第２の用紙部分２６のそれぞれにおいて、上下補正記号２７ａが２つ表示されている端部が下端部であり、上下補正記号２７ａが１つ表示されている端部が上端部であるので、この上下補正記号２７ａの検出に基づいてカレンダー用紙２１の画像情報の上下（天地）を整える。また、検出したカレンダー用補正記号２７に基づいて、第１の用紙部分２５及び第２の用紙部分２６の左右を判別し、左右の画像情報が逆転しているときはこれを入れ替えて画像情報の左右を補正する（ステップＳ３０５）。より詳細には、撮像された第１の用紙部分２５及び第２の用紙部分２６において、左補正記号２７ｂが表示されているものがカレンダー用紙２１の左側に位置する用紙部分であり、右補正記号２７ｃが表示されているものがカレンダー用紙２１の右側に位置する用紙部分であるので、この左補正記号２７ｂ及び右補正記号２７ｃの検出に基づいて第１の用紙部分２５及び第２の用紙部分２６の画像情報の左右を整える。本実施形態では、第１の用紙部分２５がカレンダー用紙２１の左側に位置し、第２の用紙部分２６がカレンダー用紙２１の右側に位置する。また、検出したカレンダー用補正記号２７（上下補正記号２７ａ、左補正記号２７ｂ及び右補正記号２７ｃ）に基づいて、第１の用紙部分２５及び第２の用紙部分２６の四隅を判別し、画像に歪みがあるときは、透視投影変換により画像情報を台形補正する（ステップＳ３０６）。また、その後、画像情報の画質を調整する（ステップＳ３０７）。画質を調整する際、画像情報のヒストグラムを均一化すると共に、ガンマ補正をすることもできる。更にその後、画像の余分な部分をトリミングし、画像のサイズを調整する（ステップＳ３０８）。また、第１の用紙部分２５の画像情報と第２の用紙部分２６の画像情報とを合成し、第１の用紙部分２５と第２の用紙部分２６とが結合した画像情報を生成する。これにより、カレンダー用紙２１の画像情報が生成される（ステップＳ３０９）。
【００３３】
また、図７は、メモ用紙の画像情報に係る補正処理のフローチャートである。図７に示すように、メモ用紙２２の画像情報を補正するときは、上記カレンダー用紙２１と同様に、撮像したメモ用紙２２の画像情報を縮小し、この画像情報をグレースケール化し、これを更に二値化し、二値化した画像情報からメモ用補正記号２９を検出する（ステップＳ３１１、Ｓ３１２）。続いて、検出したメモ用補正記号２９に基づいて、メモ用紙２２の四隅を判別し、画像に歪みがあるときは、透視投影変換により画像情報を台形補正する（ステップＳ３１３）。また、その後、画像情報の画質を調整する（ステップＳ３１４）。画質を調整する際、画像情報のヒストグラムを均一化すると共に、ガンマ補正をすることもできる。更にその後、画像の不要な部分をトリミングし、画像のサイズを調整する（ステップＳ３１５）。以上より、カレンダー用紙２１及びメモ用紙２２の画像情報が補正される。
【００３４】
続いて、制御部９は、撮像されたカレンダー用紙２１の年月表示部２３に表示されている年月を識別する。本実施形態の図２に示す例では、２０１２年１２月を識別する。年月の識別は、例えば、印刷又は手書きの文字を光学的に識別して電気信号に変換する公知の光学文字認識（ＯＣＲ：Optical Character Recognition）により行うことができる。また、制御部９は、撮像されたメモ用紙２２の年月日記入部２８に記入されている年月日を識別する。本実施形態の図３に示す例では、２０１２年１２月２０日を識別する。年月日の識別は、カレンダー用紙２１と同様に光学文字認識（ＯＣＲ）により行うことができる。（ステップＳ４）
【００３５】
次に、制御部９は、識別したカレンダー用紙２１の年月とカレンダー情報とを関連付ける。より詳細には、カレンダー用紙２１に係る年月の情報及び画像情報と、カレンダー情報に係る年月の情報とを対応させて記憶部８に記憶することにより、カレンダー用紙２１の年月とカレンダー情報とを関連付けることができる。図８は、記憶部８に記憶される記憶テーブルの一例を示す図である。図８に示すように、例えば、制御部９は、カレンダー用紙２１に係る年月の情報及び画像情報と、カレンダー情報に係る年月の情報とを記憶テーブルに格納することにより、各情報を関連付けることができる。（ステップＳ５、Ｓ６）
【００３６】
また、制御部９は、識別したメモ用紙２２の年月日とカレンダー情報とを関連付ける。より詳細には、メモ用紙２２に係る年月日の情報及び画像情報と、カレンダー情報に係る年月日の情報とを対応させて記憶部８に記憶することにより、メモ用紙２２の年月日とカレンダー情報とを関連付けることができる。図９は、記憶部に記憶される記憶テーブルの他の一例を示す図である。図９に示すように、例えば、制御部９は、メモ用紙２２に係る年月日の情報及び画像情報と、カレンダー情報に係る年月日の情報とを記憶テーブルに格納することにより、各情報を関連付けることができる。このようにして、カレンダー用紙２１の画像情報及びメモ用紙２２の画像情報などの各種情報が記憶部８に記憶される。（ステップＳ５、Ｓ６）
【００３７】
次に、制御部９は、カレンダー情報を表示部６に表示する（ステップＳ７）。より詳細には、まず、ユーザーがタッチパネル７をタッチすることにより、表示部６に表示する年月を選択し、その選択に基づいて、制御部９が選択された年月のカレンダー情報を記憶部８から呼び出し、表示部６に表示する。ユーザーが表示部６に表示したい年月を選択するときは、例えば、表示部６に年月選択用の画像を別途表示した状態で、タッチパネル７のタッチにより特定の年月を指定することにより選択することができる。また、この構成に限定されず、別途のスクロール画像を表示部６に表示し、これをタッチパネル７においてスクロール操作することにより表示部６に表示したい特定の年月を選択することもできる。図１０は、表示部におけるカレンダー情報の表示の一例を示す図である。図１０に示す例では、２０１２年１２月のカレンダー情報が選択されて表示部６に表示されている。ただし、図１０においてｘ軸、ｙ軸及びそれらの座標値は、便宜上仮想的に表示されているものであり、表示部６に可視的に表示されたものではない。
【００３８】
また、カレンダー情報を表示部６に表示するとき、制御部９は、カレンダー情報に係る暦（年、月、日、曜日、週など）を予め設定された表示位置（座標）に表示する。例えば、図１０に示す例では、表示部６の横縦をｘ-ｙ座標として、座標（ｘ、ｙ）＝（４、２）には１２月９日の日付が表示され、（ｘ、ｙ）＝（８、３）には１２月２０日の日付が表示されている。予め設定された座標位置への表示は、カレンダー情報に含まれる表示位置情報（座標情報）に基づいて行われる。また、制御部９は、カレンダー情報と共に縦横の罫線などを適宜表示部６に表示することができる。
【００３９】
次に、制御部９は、上記の表示したカレンダー情報に重ねて、当該カレンダー情報の年月に関連付くカレンダー用紙２１の画像情報を表示部６に表示する（ステップＳ８）。より詳細には、表示部６に表示した上記カレンダー情報の年月に対応する年月（同じ年月）のカレンダー用紙２１の画像情報を、記憶部８の記憶テーブルから呼び出し、表示部６に表示する。したがって、年月によって関連付いたカレンダー情報及びカレンダー用紙２１の画像情報が表示部６に重ねて表示される。このカレンダー用紙２１の画像情報の表示は、タッチパネル７のタッチに基づいて行うことができる。図１１は、表示部におけるカレンダー用紙の画像情報の表示の一例を示す図である。また、図１２は、カレンダー情報とカレンダー用紙の画像情報との関係を示すイメージ図である。図１１及び図１２に示すように、制御部９は、表示部６におけるカレンダー情報の表示が隠れ、その上にカレンダー用紙２１の画像情報が表示されるようにする。したがって、ユーザーからカレンダー情報は見えず、カレンダー用紙２１の画像情報のみが見える状態となる。本実施形態では、２０１２年１２月のカレンダー情報に、同じ２０１２年１２月のカレンダー用紙２１の画像情報を重ねて表示している。カレンダー情報とカレンダー用紙２１の画像情報との重ね合わせは、例えば公知のマスキング処理により行うことができる。
【００４０】
また、表示部６にカレンダー用紙２１を表示するとき、制御部９は、カレンダー情報の日の表示位置（座標）と、カレンダー用紙２１の画像情報の日の表示位置（座標）と、が対応するように表示部６に表示する。より詳細には、カレンダー用紙２１の画像情報が表示部６に表示されたときに、当該画像情報における各日付の表示座標が、その下に表示されたカレンダー情報における各日付の表示座標と一致するように表示される。図１１に示す例では、カレンダー情報における１２月２０日が座標（ｘ、ｙ）＝（８、３）に表示されており、同じく、カレンダー用紙２１の画像情報における１２月２０日が座標（ｘ、ｙ）＝（８、３）に表示されている。このような日付の表示位置の対応関係は、カレンダー用紙２１における日付の表示位置およびカレンダー情報の表示位置を予め調整しておくことにより、適宜調整可能である。例えば、カレンダー用紙２１における各日の表示位置の縦横の比率と、カレンダー情報における各日の表示位置の縦横の比率とを予め同じ比率にしておき、カレンダー用紙２１の画像情報を適宜拡大又は縮小することにより、カレンダー用紙２１の画像情報およびカレンダー情報の両者が表示部６に表示されたときに、両者の各日付が互いに重なるように設定することで可能になる。
【００４１】
また、制御部９は、記憶部８にメモ用紙２２の画像情報が存在する場合は、その存在を示すメモ存在情報２２０を表示部６に表示する（ステップＳ９）。より詳細には、撮像部５により撮像されたメモ用紙２２の画像情報が存在する場合に、メモ存在情報２２０を記憶部８から呼び出し、表示部６に表示する。このとき、制御部９は、メモ用紙２２の年月日記入部２８に記入された年月日に対応する年月日が表示された位置にメモ存在情報２２０を表示する。例えば、図１１に示す例では、２０１２年１２月２０日の日付が記入されたメモ用紙２２の画像情報が存在するので、この日付（２０１２年１２月２０日）に対応する表示位置にメモ存在情報２２０を表示している。これにより、表示部６に表示された日付（年月日）に関連付くメモ用紙２２の画像情報が記憶部８に存在することを示す。表示部６におけるメモ存在情報２２０の表示形式は特に限定されるものではなく、例えば、図１１に示すように、丸形のマークとして表示することができる。また、メモ存在情報２２０は、公知のマスキング処理によりカレンダー用紙２１の画像情報の上に重ねて表示することができる。
【００４２】
次に、ユーザーによるタッチパネル７のタッチに基づいて、タッチ位置に表示されたカレンダー情報の年月日に関連付くメモ用紙２２の画像情報を、表示部６に表示する（ステップＳ１０）。より詳細には、カレンダー用紙２１の画像情報が表示部６に表示された状態で、ユーザーが任意の日付が表示された位置のタッチパネル７をタッチすると、制御部９は、そのタッチに基づいて、タッチ位置に表示された年月日に対応するメモ用紙２２の画像情報を記憶部８から呼び出し、表示部６に表示する。例えば、ユーザーが、カレンダー用紙２１の画像情報における２０１２年１２月２０日の表示位置をタッチすると、このタッチに基づいて、２０１２年１２月２０日の日付が記入されたメモ用紙２２の画像情報が表示部６に表示される。すなわち、ユーザーがカレンダー用紙２１の画像情報の２０１２年１２月２０日の表示位置をタッチすると、そのカレンダー用紙２１の画像情報の下に重ねて表示されたカレンダー情報の同じ日付（２０１２年１２月２０日）の表示位置がタッチされたことになる。そうすると、タッチされたカレンダー情報の年月日（２０１２年１２月２０日）と同じ年月日が記入されたメモ用紙２２の画像情報が記憶部８の記憶テーブルから呼び出され、表示部６に表示される。つまり、タッチされたカレンダー情報の年月日に関連付くメモ用紙２２の画像情報が表示部６に表示される。図１３は、表示部におけるメモ用紙の画像情報の表示の一例を示す図である。図１３に示す例では、２０１２年１２月２０日の表示位置がタッチされ、その日付に関連付くメモ用紙２２の画像情報が表示されている。このように、カレンダー情報と関連付くことにより、カレンダー用紙２１の画像情報とメモ用紙２２の画像情報とが対応しているので、タッチパネル７のタッチにより、カレンダー用紙２１の日付に対応するメモ用紙２２を表示部６に表示することができる。
【００４３】
以上のような構成を備えるダイアリーシステムによれば、カレンダー用紙２１の画像情報を表示部６に表示するので、ユーザーがカレンダー用紙２１に記入したスケジュールを表示部６により確認することができる。また、メモ用紙２２の画像情報を表示部６に表示するので、ユーザーがメモ用紙２２に記入したメモを表示部６により確認することができる。また、タッチパネル７のタッチにより、カレンダー用紙２１の日付に対応するメモ用紙２２を表示部６に表示することができる。したがって、ユーザーが記入したスケジュール及びメモを、日付を関連付けて表示することができるので、スケジュール管理を容易かつ正確に行うことができる。また、メモ存在情報２２０により、メモ用紙２２の画像情報の存在をユーザーが知ることができる。
【００４４】
また、カレンダー用補正記号２７及びメモ用補正記号２９により画像情報を補正するので、表示部６にスケジュール及びメモを正確に表示でき、スケジュール管理を正確に行うことができる。また、カレンダー用紙２１が第１の用紙部分２５及び第２の用紙部分２６を備えることにより、見開き形式のダイアリー２にすることができ、カレンダー用紙２１を見易くすることができる。よって、スケジュール管理を容易に行うことができる。
【００４５】
以上、本発明の一実施形態について説明したが、本発明の具体的な態様は、上記実施形態に限定されるものではない。
【００４６】
例えば、ユーザーがカレンダー用紙２１を複数回撮像し、カレンダー用紙２１の画像情報が複数存在する場合には、制御部９は、最新の画像情報を表示部６に表示することができる。例えば、ユーザーが２０１２年１２月１日にカレンダー用紙２１にスケジュールを記入してこのカレンダー用紙２１を撮像し、後日（例えば、１２月２日）、このカレンダー用紙２１にスケジュールを追加記入し、このカレンダー用紙２１を再び撮像した場合、１２月１日に撮像したカレンダー用紙２１の画像情報と、１２月２日に撮像したカレンダー用紙２１の画像情報とが記憶部８に記憶されることになる。この場合、制御部９は、カレンダー用紙２１の最新の画像情報、すなわち、後日の１２月２日に撮像した画像情報を表示部６に表示する。これにより、カレンダー用紙２１に記入した最新のスケジュールを表示部６に表示することができるので、確実にスケジュール管理を行うことができる。なお、カレンダー用紙２１の古い画像情報（上記の例では、１２月１日に撮像した画像情報）は削除することもできる。
【００４７】
また、上記実施形態では、カレンダー情報の上にカレンダー用紙２１の画像情報を重ねて表示していたが、必ずしもカレンダー用紙２１の画像情報を表示しなくてもよい。この場合は、カレンダー情報を表示部６に表示した状態でタッチパネル７をタッチすることにより、制御部９がメモ用紙２２の画像情報を呼び出して表示部６に表示することができる。また、タッチパネル７をタッチすることによりカレンダー用紙２１の画像情報の表示／非表示を切り替えることができる構成であってもよい。また、ユーザーがカレンダー用紙２１を撮像しておらず、カレンダー用紙２１の画像情報が記憶部８に記憶されていない場合は、画像情報を表示しなくてもよい。
【００４８】
また、上記実施形態では、表示部６におけるカレンダー情報の日付の表示座標とカレンダー用紙２１の画像情報の日付の表示座標とを一致するように表示していたが、表示座標が必ずしも厳密に一致していなくてもよく、座標がずれていても、カレンダー情報の日付とカレンダー用紙２１の画像情報の日付とが互いに対応するように表示されていればよい。このような構成によっても、カレンダー用紙２１が表示部６に表示された状態で任意の日付をタッチすると、その日付に対応するカレンダー情報がタッチされる。また、カレンダー情報の日の表示位置とカレンダー用紙２１の画像情報の日の表示位置とが対応していれば、年月の表示位置などは互いにずれていてもよい。
【００４９】
また、カレンダー用紙２１及びメモ用紙２２の画像情報の補正処理は、上記の図６及び図７に示す実施形態に限定されるものではなく、公知の補正処理を適宜適用することができる。また、カレンダー用紙２１及びメモ用紙２２に表示する補正記号も上記のカレンダー用補正記号２７及びメモ用補正記号２９に限定されるものではなく、適宜設計変更可能であり、用紙の上下・左右・四隅を判別するためにどのような補正記号を用いてもよい。
【００５０】
また、上記実施形態では、１つのダイアリー２の内部にカレンダー用紙２１及びメモ用紙２２が含まれていたが、ダイアリー２は一冊に限定されるものではなく、カレンダー用紙２１及びメモ用紙２２がそれぞれ別のダイアリーに含まれる構成であってもよい。
【００５１】
また、上記実施形態では、カレンダー用紙２１が第１の用紙部分２５及び第２の用紙部分２６の２つの部分に区分されていたが、この区分は必ずしも必要ではなく、カレンダー用紙２１が１枚の紙から形成されていてもよい。
【００５２】
また、上記実施形態では、撮像部５によりメモ用紙２２を撮像し、メモ用紙２２の日付（年月日）とカレンダー情報の日付（年月日）とを関連付けていたが、この構成に限定されるものではなく、メモ用紙２２の他に別途被写体を撮像し、撮像した被写体の画像情報とカレンダー情報とを関連付けることもできる。この場合、被写体を撮像した日付（年月日）とカレンダー情報の日付（年月日）とを関連付ける。そして、制御部９が被写体の画像情報を記憶部８に記憶した後、表示部６にカレンダー用紙２１の画像情報が表示された状態でユーザーがタッチパネル７をタッチすると、制御部９がタッチされた日付（年月日）に関連付く被写体の画像情報を記憶部８から呼び出し、表示部６に表示する。
【００５３】
また、本発明は上記実施形態に限定されるものではなく、ダイアリー２が週間用紙４１を更に備えることもできる。図１４は、ダイアリーの内部の週間用紙を示す図である。他の実施形態に係るダイアリーシステム１は、ダイアリー本体２０の内部に配置された複数の週間用紙４１を更に備えている。各週間用紙４１には、図１４に示すように、一週間の暦（年、月、日、曜日等）が印刷表示されている。図１４では、一例として、２０１２年１２月の第３週の暦が表示された週間用紙４１を示しているが、この他に、２０１２年１２月の第３週以外の各週の暦が表示された週間用紙４１が存在する。この週間用紙４１は、年月が表示された年月表示部４２と、日が表示された日表示部４３と、週間用紙４１が表示している週を特定するための週特定部４４とを備えている。年月表示部４２における年月の表示方法は、年月を識別可能であれば特に限定されるものではなく、また、年月表示部４２の位置も特に限定されるものではない。この年月表示部４２における年月の表示は、光学文字認識（ＯＣＲ：Optical Character Recognition）により認識することができる。また、日表示部４３における日の表示方法は、公知の一般的な一週間のカレンダーと同様の構成にすることができ、例えば、週間用紙４１上に横方向に引かれた罫線によって区画された各行に日を表示することができる。週間用紙４１における日の表示位置（座標）は、後述の週間カレンダー情報の日の表示位置（座標）と対応するように予め設定されている。例えば、週間用紙４１の縦横の比率と週間カレンダー情報を表示したときの縦横の比率とを揃えることにより、両者の日の表示位置を対応させることができる。
【００５４】
また、週特定部４４には、週間用紙４１に表示されている週を特定するために週特定情報が表示されている。週特定情報としては、週を特定できる構成であれば特に限定されないが、本実施形態では、月曜日の日付を表示した構成としている。これにより、年月表示部４２に表示された年月と共に、週特定部４４に表示された月曜日の日付（週特定情報）を識別することにより、年月日及び曜日を特定することができ、特定した年月日及び曜日から暦を計算することにより、週間用紙４１に表示されている週が第何週であるかを特定することができる。例えば、図１４に示す例では、年月表示部４２に表示された２０１２年１２月と共に、週特定部４４に表示された月曜日の日付（１４日）を識別することにより、２０１２年１２月１４日（月曜日）を特定することができ、この日付から計算することにより、週間用紙４１に表示されている週が２０１２年１２月の「第３週」であることを特定できる。なお、日付から第何週であるかを計算するためのソフトウェアは記憶部８に予め記憶しておくことができる。また、週特定部４４における週特定情報の構成はこれに限定されるものではなく、例えば、週間用紙４１に表示されている週が何年何月の第何週であるかを直接的に表示する構成であってもよい。また、この週特定部４４における週特定情報の表示は、光学文字認識（ＯＣＲ：Optical Character Recognition）により認識することができる。また、週間用紙４１には、文字や絵等を自由に記入可能であり、スケジュールを記入することができる。また、スケジュール以外にも自由な内容を記入することができる。また、本実施形態では週間用紙４１は、ダイアリー２を見開いた状態で１週間（例えば２０１２年１２月第３週）の暦が表示される構成となっている。
【００５５】
また、週間用紙４１には、複数の週間用補正記号４７、４７・・・が表示されている。これら週間用補正記号４７、４７・・・は、週間用紙４１の上下、四隅を判別して画像を補正するためのものであり、それぞれ週間用紙４１の四隅に表示されている。また、複数の週間用補正記号４７の少なくとも１つは、上下補正記号４７ａを構成しており、この上下補正記号４７ａは、週間用紙４１の上下を判別するための記号であり、本実施形態では、週間用紙４１の上端部に表示されている。また、週間用補正記号４７のデザインは、各記号を識別できるものであれば特に限定されるものではない。また、上下補正記号４７ａは用紙を区別するために用いることができ、この上下補正記号４７ａにより上述のカレンダー用紙２１又はメモ用紙２２と週間用紙４１とを区別することができる。この場合は、上下補正記号４７ａのデザインを適宜変更することにより、用紙を明確に区別することができる。また、週間用紙４１には、分割マーク４８，４８が表示されている。この分割マーク４８，４８は、後述する週間用紙４１の画像情報において不要な部分をトリミングするときに目印となるマークであり、見開いた週間用紙４１の中央部に表示されている。
【００５６】
また、この実施形態において記憶部８は、撮像部５により撮像された週間用紙４１の画像情報を記憶することができる。画像情報は、例えば、ｊｐｅｇ及びｇｉｆなどのファイル形式により記憶される。また、記憶部８に記憶されるカレンダー情報は、表示部６に表示されたときに所定の位置が所定の週に対応するための情報を表示位置情報（座標情報）として含んでいる。また、記憶部８は、上記のカレンダー情報とは別に、暦（年、月、日、曜日、週等）の情報を含む週間カレンダー情報を記憶することができる。この週間カレンダー情報は、暦（年、月、日、曜日、週等）が表示部６に表示されるときに、予め設定された表示位置（座標）に表示するように制御するための情報を表示位置情報（座標情報）として含んでいる。また、記憶部８は、週間用紙４１の年月表示部４２に表示されている年月の情報及び週特定部４４の週特定情報によって特定される週の情報と、カレンダー情報に含まれる年月及び週の情報とを関連付けるための記憶テーブルを記憶することができる。また、この記憶部８は同様に、メモ用紙２２の年月日記入部２８に記入される年月日の情報と、週間カレンダー情報に含まれる年月日の情報とを関連付けるための記憶テーブルを記憶することができる。また、この記憶部８は同様に、週間用紙４１の年月表示部４２に表示されている年月の情報及び週特定部４４の週特定情報によって特定される週の情報と、週間カレンダー情報に含まれる年月及び週の情報とを関連付けるための記憶テーブルを記憶することができる。また、記憶部８は、カレンダー情報と週間カレンダー情報とを、年月日及び週の情報により関連付けて記憶している。
【００５７】
次に、上記のような構成を備えるダイアリーシステムを制御する制御方法について説明する。なお、カレンダー用紙２１及びメモ用紙２２に関連する制御方法については上述した構成と同様であるので説明を省略し、ここでは週間用紙４１に関連する制御方法について説明する。図１５及び図１６は、他の実施形態に係るダイアリーシステムの制御方法のフローチャートである。このうち図１５は、各種の情報を関連付けて記憶部に記憶する処理のフローチャートであり、図１６は、各種の情報を表示部に表示する処理のフローチャートである。
【００５８】
まず、各種の情報を関連付けて記憶部８に記憶する処理について説明する。図１５に示すように、他の実施形態に係るダイアリーシステム１ではまず、週間用紙４１にユーザーが記入をする（ステップＳ２１）。より詳細には、ユーザーが週間用紙４１に筆記具でスケジュールを手書き記入する。例えば、図１４に示す例では、週間用紙４１の日表示部４３（２０１２年１２月２０日の部分）に「会議」の予定を記入している。これにより、週間用紙４１の２０１２年１２月２０日の部分に記入した内容（会議）と、カレンダー用紙２１の２０１２年１２月２０日の部分に記入した内容（会議）と、２０１２年１２月２０日の日付を記入したメモ用紙２２のメモ内容と、が対応することになり、週間用紙４１、カレンダー用紙２１及びメモ用紙２２の記載を対応させることができる。
【００５９】
また、ユーザーは、週間用紙４１にスケジュールを記入した後、この週間用紙４１を携帯端末装置３の撮像部５により撮像する（ステップＳ２２）。週間用紙４１を撮像するときは、週間用紙４１の四隅に表示された週間用補正記号４７が撮像範囲に入るように行う。
【００６０】
ユーザーが撮像部５により週間用紙４１の撮像をすると、制御部９は、撮像した週間用紙４１の画像情報を補正する（ステップＳ２３）。ここで、画像情報の補正処理について説明する。図１７は、週間用紙の画像情報に係る補正処理のフローチャートである。図１７に示すように、週間用紙４１の画像情報を補正するときは、上述のカレンダー用紙２１と同様に、撮像した週間用紙４１の画像情報を縮小し、この画像情報をグレースケール化し、これを更に二値化し、二値化した画像情報から週間用補正記号４７を検出する（ステップＳ４０１、Ｓ４０２）。続いて、検出した週間用補正記号４７に基づいて画像情報の上下（天地）を判別し、上下（天地）が逆転しているときは画像情報を１８０°回転させて上下を整える（ステップＳ４０３、Ｓ４０４）。より詳細には、撮像された週間用紙４１において、上下補正記号４７ａが表示されている端部が上端部であるので、この上下補正記号４７ａの検出に基づいて週間用紙４１の画像情報の上下（天地）を整える。また、検出した週間用補正記号４７に基づいて、週間用紙４１の四隅を判別し、画像に歪みがあるときは、透視投影変換により画像情報を台形補正する（ステップＳ４０５）。また、その後、画像情報の画質を調整する（ステップＳ４０６）。画質を調整する際、画像情報のヒストグラムを均一化すると共に、ガンマ補正をすることもできる。更にその後、画像の余分な部分をトリミングし、画像のサイズを調整する（ステップＳ４０７）。以上より、週間用紙４１の画像情報が補正される。また、制御部９は、検出した上下補正記号４７ａに基づいて、撮像された画像情報が週願用紙４１の画像情報であるか否かを区別することができる。また、制御部９は、週願用紙４１の画像情報から分割マーク４８，４８を検出し、この分割マーク４８，４８に基づいて画像情報の不要な部分をトリミングすることができる。本実施形態では、分割マーク４８，４８に基づいて見開いた週間用紙４１の画像情報の中央部をトリミングし、週間用紙４１の右側と左側とを合成している。
【００６１】
続いて、図１５に示すように、制御部９は、撮像された週間用紙４１の年月表示部４２に表示されている年月を識別する。本実施形態の図１４に示す例では、年月表示部４２の２０１２年１２月を識別する。また、制御部９は、撮像された週間用紙４１の週特定部４４に表示されている週特定情報を識別する。本実施形態の図１４に示す例では、週特定部４４に表示された一週間の月曜日の日付：１４日を識別する（ステップＳ２４）。年月及び週特定情報の識別は、例えば、光学文字認識（ＯＣＲ：Optical Character Recognition）により行うことができる。
【００６２】
次に、制御部９は、識別した週間用紙４１の年月及び週特定情報に基づいて、週間用紙４１に表示されている週を特定する。より詳細には、識別した年月及び週特定情報から計算することにより、週間用紙４１に表示されている週が識別した年月の第何週であるかを特定する。例えば、図１４に示す例では、年月表示部４２に表示された２０１２年１２月と共に、週特定部４４に表示された月曜日の日付：１４日を識別することにより、２０１２年１２月１４日（月曜日）を特定することができ、この日付から計算することにより、週間用紙４１に表示されている週が２０１２年１２月の「第３週」であることを特定できる。（ステップＳ２５）
【００６３】
次に、制御部９は、特定した週間用紙４１の年月及び週と、カレンダー情報とを関連付ける。より詳細には、週間用紙４１に係る年月及び週の情報並びに画像情報と、カレンダー情報に係る年月及び週の情報とを対応させて記憶部８に記憶することにより、週間用紙４１の年月及び週とカレンダー情報とを関連付けることができる。図１８は、記憶部８に記憶される記憶テーブルの他の一例を示す図である。図１８に示すように、例えば、制御部９は、週間用紙４１に係る年月及び週の情報並びに画像情報と、カレンダー情報に係る年月及び週の情報とを記憶テーブルに格納することにより、各情報を関連付けることができる。（ステップＳ２６、Ｓ２７）
【００６４】
また、制御部９は、上記カレンダー情報とは別に、特定した週間用紙４１の年月及び週と、週間カレンダー情報とを関連付ける。より詳細には、週間用紙４１に係る年月及び週の情報並びに画像情報と、週間カレンダー情報に係る年月及び週の情報とを対応させて記憶部８に記憶することにより、週間用紙４１の年月及び週と週間カレンダー情報とを関連付けることができる。図１９は、記憶部８に記憶される記憶テーブルの他の一例を示す図である。図１９に示すように、例えば、制御部９は、週間用紙４１に係る年月及び週の情報並びに画像情報と、週間カレンダー情報に係る年月及び週の情報とを記憶テーブルに格納することにより、各情報を関連付けることができる。（ステップＳ２６、Ｓ２７）
【００６５】
また、制御部９は、上述のステップＳ４で識別したメモ用紙２２の年月日と週間カレンダー情報とを関連付ける。より詳細には、メモ用紙２２に係る年月日の情報及び画像情報と、週間カレンダー情報に係る年月日の情報とを対応させて記憶部８に記憶することにより、メモ用紙２２の年月日と週間カレンダー情報とを関連付けることができる。図２０は、記憶部に記憶される記憶テーブルの他の一例を示す図である。図２０に示すように、例えば、制御部９は、メモ用紙２２に係る年月日の情報及び画像情報と、週間カレンダー情報に係る年月日の情報とを記憶テーブルに格納することにより、各情報を関連付けることができる。（ステップＳ２６、Ｓ２７）このようにして、週間用紙４１の画像情報及びメモ用紙２２の画像情報などの各種情報が記憶部８に記憶される。
【００６６】
次に、各種の情報を表示部６に表示する処理について説明する。ここでは、上述のステップＳ７、Ｓ８によりカレンダー情報及びそれに重なるカレンダー用紙２１の画像情報が表示部６に表示された状態から説明する。図２１は、表示部におけるカレンダー情報の表示の他の一例を示す図である。本実施形態に係るカレンダー情報は、表示部６に表示されたときに所定の位置が所定の週に対応するための情報を表示位置情報（座標情報）として含んでおり、カレンダー情報が表示部６に表示されたときに、左上段から左下段に向かって順に各週が対応するように設定されている。例えば、図２１に示す例では、点線の丸印で示すように、座標（ｘ、ｙ）＝（１、１）が、第１週に対応する位置として予め設定されている。また、座標（ｘ、ｙ）＝（１、２）が、第２週に対応する位置として、座標（ｘ、ｙ）＝（１、３）が、第３週に対応する位置として予め設定されている。これにより、表示部６に表示されたカレンダー情報の所定の位置を所定の週に対応させることができる。なお、カレンダー情報における所定の週に対応する所定の位置は適宜設計変更することができる。また、図２１においてｘ軸、ｙ軸及びそれらの座標値は、図１０と同様に便宜上仮想的に表示されているものであり、表示部６に可視的に表示されたものではない。
【００６７】
図１６は、各種の情報を表示部に表示する処理のフローチャートである。図２２は、表示部におけるカレンダー用紙の画像情報の表示の他の一例を示す図である。なお、図２２においてｘ軸、ｙ軸及びそれらの座標値は、便宜上仮想的に表示されているものであり、表示部６に可視的に表示されたものではない。図１６及び図２２に示すように、カレンダー情報に重ねてカレンダー用紙２１の画像情報が表示部６に表示された状態から、ユーザーによるタッチパネル７のタッチに基づいて、タッチ位置に対応するカレンダー情報の年月及び週に関連付く週間カレンダー情報及び週間用紙４１の画像情報を、表示部６に表示する（ステップＳ２８）。このとき制御部９は、週間用紙４１の画像情報を週間カレンダー情報の上に重ねて表示する（ステップＳ２９）。より詳細には、カレンダー用紙２１の画像情報が表示部６に表示された状態で、ユーザーが任意の週に対応する位置のタッチパネル７をタッチすると、制御部９は、そのタッチに基づいて、タッチ位置の週に対応する週間カレンダー情報及び週間用紙４１の画像情報を記憶部８から呼び出し、表示部６に表示する。例えば、ユーザーが、カレンダー用紙２１の画像情報における２０１２年１２月の第２週に対応する位置（座標（ｘ、ｙ）＝（１、２））をタッチすると、このタッチに基づいて、２０１２年１２月の第２週の週間カレンダー情報及び週間用紙４１の画像情報が、表示部６に表示される。すなわち、ユーザーがカレンダー用紙２１の画像情報の２０１２年１２月の第２週に対応する位置をタッチすると、そのカレンダー用紙２１の画像情報の下に重ねて表示されたカレンダー情報の同じ週（２０１２年１２月の第２週）に対応する位置（座標（ｘ、ｙ）＝（１、２））がタッチされたことになる。そうすると、タッチされたカレンダー情報の週（２０１２年１２月の第２週）と同じ週の週間カレンダー情報及び週間用紙４１の画像情報が記憶部８の記憶テーブルから呼び出され、表示部６に表示される。つまり、タッチされたカレンダー情報の年月及び週に関連付く週間カレンダー情報及び週間用紙４１の画像情報が表示部６に表示される。図２３は、表示部における週間カレンダー情報の表示の一例を示す図である（図２３においてｘ軸、ｙ軸及びそれらの座標値は、便宜上仮想的に表示されているものであり、表示部６に可視的に表示されたものではない。）。図２３に示す例では、２０１２年１２月の第２週に対応する位置がタッチされ、その年月及び週に関連付く週間カレンダー情報が表示されている。このように、カレンダー情報と週間カレンダー情報とが関連付くことにより、タッチパネル７のタッチ位置に対応する週の週間カレンダー情報を表示部６に表示することができる。
【００６８】
また、週間カレンダー情報を表示部６に表示するとき、制御部９は、週間カレンダー情報に係る暦（年、月、日、曜日、週など）を予め設定された表示位置（座標）に表示する。例えば、図２３に示す例では、表示部６の横縦をｘ-ｙ座標として、座標（ｘ、ｙ）＝（１、２）には１２月１４日の日付が表示され、（ｘ、ｙ）＝（１、８）には１２月２０日の日付が表示されている。予め設定された座標位置への表示は、カレンダー情報に含まれる表示位置情報（座標情報）に基づいて行われる。また、制御部９は、カレンダー情報と共に縦横の罫線などを適宜表示部６に表示することができる。また、週間カレンダー情報を表示部６に表示するときは、当該週間カレンダー情報を必ずしも視覚的に認識できるように表示しなくてもよい。したがって、週間カレンダー情報を視覚的に認識できないように仮想的に表示部６に表示してもよい。この場合、週間カレンダー情報が予め設定された表示位置（座標）に表示されているが、ユーザーからこの週間カレンダー情報を見ることはできない。
【００６９】
また、週間用紙４１の画像情報を表示部６に表示するとき、制御部９は、週間カレンダー情報の上に週間用紙４１の画像情報が重なるように表示する。図２４は、表示部における週間用紙の画像情報の表示の一例を示す図である。また、図２５は、週間カレンダー情報と週間用紙の画像情報との関係を示すイメージ図である。図２４及び図２５に示すように、制御部９は、表示部６における週間カレンダー情報の表示が隠れ、その上に週間用紙４１の画像情報が表示されるようにする。したがって、ユーザーから週間カレンダー情報は見えず、週間用紙４１の画像情報のみが見える状態となる。本実施形態では、２０１２年１２月の第２週の週間カレンダー情報に、同じ２０１２年１２月の第２週の週間用紙４１の画像情報を重ねて表示している。週間カレンダー情報と週間用紙４１の画像情報との重ね合わせは、例えば公知のマスキング処理により行うことができる。
【００７０】
また、表示部６に週間用紙４１を表示するとき、制御部９は、週間カレンダー情報の日の表示位置（座標）と、週間用紙４１の画像情報の日の表示位置（座標）と、が対応するように表示部６に表示する。より詳細には、週間用紙４１の画像情報が表示部６に表示されたときに、当該画像情報における各日付の表示座標が、その下に表示された週間カレンダー情報における各日付の表示座標と一致するように表示される。図２３及び図２４に示す例では、週間カレンダー情報における１２月２０日が座標（ｘ、ｙ）＝（１、８）に表示されており、同じく、週間用紙４１の画像情報における１２月２０日が座標（ｘ、ｙ）＝（１、８）に表示されている。このような日付の表示位置の対応関係は、週間用紙４１における日付の表示位置および週間カレンダー情報の表示位置を予め調整しておくことにより、適宜調整可能である。例えば、週間用紙４１における各日の表示位置の縦横の比率と、週間カレンダー情報における各日の表示位置の縦横の比率とを予め同じ比率にしておき、週間用紙４１の画像情報を適宜拡大又は縮小することにより、週間用紙４１の画像情報および週間カレンダー情報の両者が表示部６に表示されたときに、両者の各日付が互いに重なるように設定することで可能になる。また、表示部６に表示された週間用紙４１の年月及び週と、週間カレンダー情報の年月及び週とは互いに関連付いている。
【００７１】
次に、上述のステップ１０と同様に、ユーザーによるタッチパネル７のタッチに基づいて、制御部９は、タッチ位置に表示された週間カレンダー情報の年月日に関連付くメモ用紙２２の画像情報を、図１３に示すように、表示部６に表示する（ステップＳ３０）。より詳細には、週間用紙４１の画像情報が表示部６に表示された状態で、ユーザーが任意の日付が表示された位置のタッチパネル７をタッチすると、制御部９は、そのタッチに基づいて、タッチ位置に表示された年月日に対応するメモ用紙２２の画像情報を記憶部８から呼び出し、表示部６に表示する。例えば、ユーザーが、週間用紙４１の画像情報における２０１２年１２月２０日の表示位置（座標（ｘ、ｙ）＝（１、８））をタッチすると、このタッチに基づいて、２０１２年１２月２０日の日付が記入されたメモ用紙２２の画像情報が表示部６に表示される。すなわち、ユーザーが週間用紙４１の画像情報の２０１２年１２月２０日の表示位置をタッチすると、その週間用紙４１の画像情報の下に重ねて表示された週間カレンダー情報の同じ日付（２０１２年１２月２０日）の表示位置がタッチされたことになる。そうすると、タッチされた週間カレンダー情報の年月日（２０１２年１２月２０日）と同じ年月日が記入されたメモ用紙２２の画像情報が記憶部８の記憶テーブルから呼び出され、表示部６に表示される。つまり、タッチされた週間カレンダー情報の年月日に関連付くメモ用紙２２の画像情報が表示部６に表示される。このように、週間カレンダー情報と関連付くことにより、週間用紙４１の画像情報とメモ用紙２２の画像情報とが対応しているので、タッチパネル７のタッチにより、週間用紙４１の日付に対応するメモ用紙２２を表示部６に表示することができる。なお、本実施形態の週間用紙４１では、ダイアリー２を見開いた状態で１週間（例えば２０１２年１２月第３週）の暦が表示されるので、２０１２年１２月２０日付けのメモ用紙２２を表示するために、見開きの右側の座標（ｘ、ｙ）＝（２、８）をタッチしてもよい。
【００７２】
以上のような構成を備えるダイアリーシステムによれば、週間用紙４１を更に備えることにより、一週間のスケジュールを関連付けて表示できるので、スケジュール管理を容易かつ確実に行うことができる。
また、週間カレンダー情報及び週間用紙４１の画像情報を表示する方法は上記実施形態に限定されるものではない。例えば、図２６に示すように、表示部６に「ｗｅｅｋ」ボタン４９を表示しておき、この「ｗｅｅｋ」ボタン４９の位置をタッチすることにより、週間カレンダー情報及び週間用紙４１の画像情報を表示部６に表示する構成であってもよい。より詳細には、上述のステップＳ７、Ｓ８によりカレンダー情報及びそれに重なるカレンダー用紙２１の画像情報を表示部６に表示した状態から、ユーザーが任意の日付が表示された位置のタッチパネル７をタッチするとその日付が選択され、制御部９が、その日付の位置をハイライトで表示する。この状態でユーザーが「ｗｅｅｋ」ボタン４９をタッチすると、制御部９は、上記の選択された日付を含む週の週間カレンダー情報及び週間用紙４１の画像情報を表示部６に表示する。例えば、図２６に示す例では、ユーザーのタッチにより２０１２年１２月１８日が選択され、この日付位置がハイライト表示されているので、この状態でユーザーが「ｗｅｅｋ」ボタン４９をタッチすると、制御部９は、２０１２年１２月１８日を含む週、すなわち、２０１２年１２月の第３週の週間カレンダー情報及び週間用紙４１の画像情報を表示部６に表示する。このような構成によっても、関連付く情報を表示部６に表示することができる。
【符号の説明】
【００７３】
１    ダイアリーシステム
２    ダイアリー
３    携帯端末装置
４    装置本体
５    撮像部
６    表示部
７    タッチパネル
８    記憶部
９    制御部
２０  ダイアリー本体
２１  カレンダー用紙
２２  メモ用紙
２３  年月表示部
２４  日表示部
２５  第１の用紙部分
２６  第２の用紙部分
２７  カレンダー用補正記号
２８  年月日記入部
２９  メモ用補正記号
４１  週間用紙
４２  年月表示部４２
４３  日表示部
４４  週特定部
４７  週間用補正記号
【図１】
2013138402.tif 000003
【図４】
2013138402.tif 000004
【図５】
2013138402.tif 000005
【図６】
2013138402.tif 000006
【図７】
2013138402.tif 000007
【図８】
2013138402.tif 000008
【図９】
2013138402.tif 000009
【図１５】
2013138402.tif 000010
【図１６】
2013138402.tif 000011
【図１７】
2013138402.tif 000012
【図１８】
2013138402.tif 000013
【図１９】
2013138402.tif 000014
【図２０】
2013138402.tif 000015
【図２】
2013138402.tif 000016
【図３】
2013138402.tif 000017
【図１０】
2013138402.tif 000018
【図１１】
2013138402.tif 000019
【図１２】
2013138402.tif 000020
【図１３】
2013138402.tif 000021
【図１４】
2013138402.tif 000022
【図２１】
2013138402.tif 000023
【図２２】
2013138402.tif 000024
【図２３】
2013138402.tif 000025
【図２４】
2013138402.tif 000026
【図２５】
2013138402.tif 000027
【図２６】
2013138402.tif 000028